(57)【要約】【課題】  本発明は、簡易且つ迅速に弧状に配置することができる配置用ブロックを提供することを目的としている。【解決手段】  配置用ブロック１は、上面部11、底面部12、右側面部13、左側面部14、前面部15、背面部16を備えたブロック体10と、このブロック体10は並設して弧状に配置される配置用ブロック１であって、ブロック体10の平面図視と底面図視、右側面視と左側面視は、それぞれ同形状であり、第１の上面右縁部の辺11ｃ1 と第１の上面左縁部の辺11ｄ1 とがなす角度θ1 、第２の上面右縁部の辺11ｃ2 と第２の上面左縁部の辺11ｄ2 とがなす角度θ2 の関係は、θ1 ＜θ2 である。【選択図】図３
2005240474.tif 000002
【特許請求の範囲】
【請求項１】
上面部、底面部、右側面部、左側面部、前面部、背面部を備えたブロック体と、
このブロック体は並設して弧状に配置される配置用ブロックであって、
前記ブロック体の平面図視と底面図視、右側面視と左側面視は、それぞれ同形状であり、
前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と前記上面下縁部の中点とを接続する中心線に対して左右対称であり、
前記上面右縁部は、前記上面上縁部の右端部から前記上面下縁部の右端部に向かって第１の上面右縁部の辺、第２の上面右縁部の辺を有し、                                  前記上面左縁部は、前記上面上縁部の左端部から前記上面下縁部の左端部に向かって第１の上面左縁部の辺、第２の上面左縁部の辺を有し、
前記中心線、前記第１の上面右縁部の辺、前記第１の上面左縁部の辺の延長線は、１点で交わり、
前記中心線、前記第２の上面右縁部の辺、前記第２の上面左縁部の辺の延長線は、１点で交わり、
前記第１の上面右縁部の辺と前記第１の上面左縁部の辺とがなす角度θ1 、第２の上面右縁部の辺と第２の上面左縁部の辺とがなす角度θ2 の関係は、θ1 ＜θ2 であることを特徴とする配置用ブロック。
【請求項２】
上面部、底面部、右側面部、左側面部、前面部、背面部を備えたブロック体と、
このブロック体は並設して弧状に配置する配置用ブロックであって、
前記ブロック体の平面図視と底面図視、右側面視と左側面視は、それぞれ同形状であり、
前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と前記上面下縁部の中点とを接続する中心線に対して左右対称であり、
前記上面右縁部は、前記上面上縁部の右端部から前記上面下縁部の右端部に向かって第１の上面右縁部の辺、第２の上面右縁部の辺、第３の上面右縁部の辺を有し、            前記上面左縁部は、前記上面上縁部の左端部から前記上面下縁部の左端部に向かって第１の上面左縁部の辺、第２の上面左縁部の辺、第３の上面左縁部の辺を有し、
前記中心線、第１の上面右縁部の辺、第１の上面左縁部の辺の延長線は、１点で交わり、
前記中心線、前記第２の上面右縁部の辺、前記第２の上面左縁部の辺の延長線は、１点で交わり、
前記中心線、前記第３の上面右縁部の辺、前記第３の上面左縁部の辺の延長線は、１点で交わり、
前記第１の上面右縁部の辺と前記第１の上面左縁部の辺とがなす角度θ1 、前記第２の上面右縁部の辺と前記第２の上面左縁部の辺とがなす角度θ2 、前記第３の上面右縁部の辺と前記第３の上面左縁部の辺とがなす角度θ3 の関係は、θ1 ＜θ2 ＜θ3 であることを特徴とする配置用ブロック。
【請求項３】
上面部、底面部、右側面部、左側面部、前面部、背面部を備えたブロック体と、
このブロック体は並設して弧状に配置する配置用ブロックであって、
前記ブロック体の平面図視と底面図視、右側面視と左側面視は、それぞれ同形状であり、
前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と上面下縁部の中点とを接続する中心線に対して左右対称であり、
前記上面右縁部は、前記上面上縁部の右端部から前記上面下縁部の右端部に向かって第１の上面右縁部の辺、第２の上面右縁部の辺、第３の上面右縁部の辺、第４の上面右縁部の辺を有し、前記上面左縁部は、前記上面上縁部の左端部から前記上面下縁部の左端部に向かって第１の上面左縁部の辺、第２の上面左縁部の辺、第３の上面左縁部の辺、第４の上面左縁部の辺を有し、
前記中心線、前記第１の上面右縁部の辺、前記第１の上面左縁部の辺の延長線は、１点で交わり、
前記中心線、前記第２の上面右縁部の辺、前記第２の上面左縁部の辺の延長線は、１点で交わり、
前記中心線、前記第３の上面右縁部の辺、前記第３の上面左縁部の辺の延長線は、１点で交わり、
前記中心線、前記第４の上面右縁部の辺、前記第４の上面左縁部の辺の延長線は、１点で交わり、
前記第１の上面右縁部の辺と前記第１の上面左縁部の辺とがなす角度θ1 、前記第２の上面右縁部の辺と前記第２の上面左縁部の辺とがなす角度θ2 、前記第３の上面右縁部の辺と前記第３の上面左縁部の辺とがなす角度θ3 、前記第４の上面右縁部の辺と前記第４の上面左縁部の辺とがなす角度θ4 の関係は、θ1 ＜θ2 ＜θ3 ＜θ4 であることを特徴とする配置用ブロック。
【発明の詳細な説明】
【技術分野】
【０００１】
本発明は、配置用ブロックに係り、特に、簡易且つ迅速に弧状に配置することができる配置用ブロックに関する。
【背景技術】
【０００２】
ブロック体を並設して弧状に配置する配置用ブロックがある（例えば、特許文献１参照）。この特許文献１によれば、曲率が大である円弧に配置するには、ブロック体（路盤表装材４）を交互に逆向きに突起を噛み合わせ（特許文献１の図９参照）、曲率が中である円弧に配置するには、ブロック体（路盤表装材４）は同じ向きで、ブロック体（路盤表装材４）の外側の一角を近接させ（特許文献１の図１０参照）、曲率が小である円弧に配置するには、ブロック体（路盤表装材４）は同じ向きで、ブロック体（路盤表装材４）の内側の一角を近接させ（特許文献１の図１０参照）て行うようにしている。
【特許文献１】実用新案登録第３０４７０３５号公報
【発明の開示】
【発明が解決しようとする課題】
【０００３】
しかしながら、上述した配置用ブロックにあっては、曲率の大小によってブロック体（路盤表装材４）を同じ向き、又は交互に逆向きと種々の形態があり紛らわしく、作業性が悪く、しかも、ブロック体（路盤表装材４）の側面に突出する突起が容易に欠け易く、更に、ブロック体（路盤表装材４）の上面が損傷した場合、ブロック体（路盤表装材４）の上面と底面は非対称であるため、損傷した上面を裏返して底面として利用できず、新たなブロック体（路盤表装材４）を用意しなければならないという問題点があった。
本発明は、上述した問題点を除去するようにした配置用ブロックを提供するものである。
【課題を解決するための手段】
【０００４】
上記目的を達成するために、請求項１記載の配置用ブロックは、上面部、底面部、右側面部、左側面部、前面部、背面部を備えたブロック体と、このブロック体は並設して弧状に配置される配置用ブロックであって、前記ブロック体の平面図視と底面図視、右側面視と左側面視は、それぞれ同形状であり、前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と前記上面下縁部の中点とを接続する中心線に対して左右対称であり、前記上面右縁部は、前記上面上縁部の右端部から前記上面下縁部の右端部に向かって第１の上面右縁部の辺、第２の上面右縁部の辺を有し、前記上面左縁部は、前記上面上縁部の左端部から前記上面下縁部の左端部に向かって第１の上面左縁部の辺、第２の上面左縁部の辺を有し、前記中心線、前記第１の上面右縁部の辺、前記第１の上面左縁部の辺の延長線は、１点で交わり、前記中心線、前記第２の上面右縁部の辺、前記第２の上面左縁部の辺の延長線は、１点で交わり、前記第１の上面右縁部の辺と前記第１の上面左縁部の辺とがなす角度θ1 、第２の上面右縁部の辺と第２の上面左縁部の辺とがなす角度θ2 の関係は、θ1 ＜θ2 である。
【０００５】
また、請求項２記載の配置用ブロックは、上面部、底面部、右側面部、左側面部、前面部、背面部を備えたブロック体と、このブロック体は並設して弧状に配置する配置用ブロックであって、前記ブロック体の平面図視と底面図視、右側面視と左側面視は、それぞれ同形状であり、前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と前記上面下縁部の中点とを接続する中心線に対して左右対称であり、前記上面右縁部は、前記上面上縁部の右端部から前記上面下縁部の右端部に向かって第１の上面右縁部の辺、第２の上面右縁部の辺、第３の上面右縁部の辺を有し、前記上面左縁部は、前記上面上縁部の左端部から前記上面下縁部の左端部に向かって第１の上面左縁部の辺、第２の上面左縁部の辺、第３の上面左縁部の辺を有し、前記中心線、第１の上面右縁部の辺、第１の上面左縁部の辺の延長線は、１点で交わり、前記中心線、前記第２の上面右縁部の辺、前記第２の上面左縁部の辺の延長線は、１点で交わり、前記中心線、前記第３の上面右縁部の辺、前記第３の上面左縁部の辺の延長線は、１点で交わり、前記第１の上面右縁部の辺と前記第１の上面左縁部の辺とがなす角度θ1 、前記第２の上面右縁部の辺と前記第２の上面左縁部の辺とがなす角度θ2 、前記第３の上面右縁部の辺と前記第３の上面左縁部の辺とがなす角度θ3 の関係は、θ1 ＜θ2 ＜θ3 である。
【０００６】
また、請求項３記載の配置用ブロックは、上面部、底面部、右側面部、左側面部、前面部、背面部を備えたブロック体と、このブロック体は並設して弧状に配置する配置用ブロックであって、前記ブロック体の平面図視と底面図視、右側面視と左側面視は、それぞれ同形状であり、前記上面部は、上面上縁部と、上面下縁部と、この上面下縁部の右端部と前記上面上縁部の右端部とを接続する上面右縁部と、前記上面下縁部の左端部と前記上面上縁部の左端部とを接続する上面左縁部とを有し、前記上面上縁部は前記上面下縁部より長く、前記上面上縁部の中点と上面下縁部の中点とを接続する中心線に対して左右対称であり、前記上面右縁部は、前記上面上縁部の右端部から前記上面下縁部の右端部に向かって第１の上面右縁部の辺、第２の上面右縁部の辺、第３の上面右縁部の辺、第４の上面右縁部の辺を有し、前記上面左縁部は、前記上面上縁部の左端部から前記上面下縁部の左端部に向かって第１の上面左縁部の辺、第２の上面左縁部の辺、第３の上面左縁部の辺、第４の上面左縁部の辺を有し、前記中心線、前記第１の上面右縁部の辺、前記第１の上面左縁部の辺の延長線は、１点で交わり、前記中心線、前記第２の上面右縁部の辺、前記第２の上面左縁部の辺の延長線は、１点で交わり、前記中心線、前記第３の上面右縁部の辺、前記第３の上面左縁部の辺の延長線は、１点で交わり、前記中心線、前記第４の上面右縁部の辺、前記第４の上面左縁部の辺の延長線は、１点で交わり、前記第１の上面右縁部の辺と前記第１の上面左縁部の辺とがなす角度θ1 、前記第２の上面右縁部の辺と前記第２の上面左縁部の辺とがなす角度θ2 、前記第３の上面右縁部の辺と前記第３の上面左縁部の辺とがなす角度θ3 、前記第４の上面右縁部の辺と前記第４の上面左縁部の辺とがなす角度θ4 の関係は、θ1 ＜θ2 ＜θ3 ＜θ4 である。
【発明の効果】
【０００７】
請求項１記載の配置用ブロックによれば、上面部は上面上縁部の中点と上面下縁部の中点とを接続する中心線に対して左右対称で、ブロック体の平面図視と底面図視、右側面視と左側面視はそれぞれ同形状で、しかも、右側面部は、第１の上面右縁部の辺、第２の上面右縁部の辺をそれぞれ含む２面に、左側面部は、第１の上面左縁部の辺、第２の上面左縁部の辺をそれぞれ含む２面に形成されているため、隣接する一方のブロック体の右側面部を隣接する他方のブロック体の左側面部に、例えば、第１の上面右縁部の辺を含む面を第１の上面左縁部の辺を含む面に接触又は、対応させて、逐次、並設して配置すれば、半径Ｒ1 の弧状を、第２の上面右縁部の辺を含む面を第２の上面左縁部の辺を含む面に接触又は、対応させて、逐次、並設して配置すれば、半径Ｒ2 の弧状を、それぞれ簡易且つ迅速に形成することができ、また、ブロック体の上面部と底面部、右側面部と左側面部はそれぞれ同形状であるため、上面部が損傷しても、損傷していない底面部が上面部になるように裏返して使用することができる。
【実施例】
【０００８】
本発明の一実施例の配置用ブロックを図面を参照して説明する。
図１乃至図４において、１は配置用ブロックで、配置用ブロック１はブロック体10を並設して弧状に配置するもので、例えば、植木の周囲を囲んだり、花壇等の縁用ブロックとして、インタ−ロッキング、舗道、公園等に使用される敷き用ブロックとして、複数段積み上げて使用される積み上げ用ブロック等として使用されるものである。
図１においては、ブロック１が円を二重に描くように、ブロック体10を並設しているが、ブロック体10は１個の円を描くように並設しても良く、また、１個の円ではなく、弧状を描くようにブロック体10を複数個並設しても良い。
【０００９】
ブロック体10は、例えば、煉瓦、コンクリ−ト等を素材としたもので、上面部11、底面部12、右側面部13、左側面部14、前面部15、背面部16を備えている（図３参照）。
そして、ブロック体10の平面図視（平面図で見て）と底面図視（底面図で見て）、ブロック体10の右側面図視（右側面図で見て）と左側面図視（左側面図で見て）は、それぞれ同形状となっている（図３及び図４参照）。
【００１０】
上面部11は、上面上縁部11ａと、上面下縁部11ｂと、この上面下縁部11ｂの右端部と上面上縁部11ａの右端部とを接続する上面右縁部11ｃと、上面下縁部11ｂの左端部と上面上縁部11ａの左端部とを接続する上面左縁部11ｄとを有し、上面上縁部11ａは上面下縁部11ｂより長く、上面上縁部11ａの中点と上面下縁部11ｂの中点とを接続する中心線Ｘ−Ｘに対して上面部11は左右に対称となっている。図１乃至図４の上面上縁部11ａ及び上面下縁部11ｂは直線となっているが、円弧状でも良い。
【００１１】
上面右縁部11ｃは、上面上縁部11ａの右端部から上面下縁部11ｂの右端部に向かって第１の上面右縁部の辺11ｃ1 、第２の上面右縁部の辺11ｃ2 を有し、上面左縁部11ｄは、上面上縁部11ａの左端部から上面下縁部11ｂの左端部に向かって第１の上面左縁部の辺11ｄ1 、第２の上面左縁部の辺11ｄ2 を有している。
【００１２】
そして、図２に示すように、上述の中心線Ｘ−Ｘ、第１の上面右縁部の辺11ｃ1 、第１の上面左縁部の辺11ｄ1 の延長線は、１点Ｏで交わっている。また、上述の中心線Ｘ−Ｘ、第２の上面右縁部の辺11ｃ2 、第２の上面左縁部の辺11ｄ2 の延長線は、１点Ｏで交わっている。
第１の上面右縁部の辺11ｃ1 と第１の上面左縁部の辺11ｄ1 とがなす角度θ1 、第２の上面右縁部の辺11ｃ2 と第２の上面左縁部11ｄ2 の辺とがなす角度θ2 であり、角度θ1 、角度θ2 の関係は、θ1 ＜θ2 となっている。
【００１３】
下面部12は、上面部11と同様に、下面上縁部12ａと、下面下縁部12ｂと、この下面下縁部12ｂの右端部と下面上縁部12ａの右端部とを接続する下面右縁部12ｃと、下面下縁部12ｂの左端部と下面上縁部12ａの左端部とを接続する下面左縁部12ｄとを有し、下面上縁部12ａは下面下縁部12ｂより長く、下面上縁部12ａの中点と下面下縁部12ｂの中点とを接続する中心線Ｘ−Ｘに対して下面部12は左右に対称となっている。図１乃至図４の下面上縁部12ａ及び下面下縁部12ｂは直線となっているが、円弧状でも良い。
【００１４】
下面右縁部12ｃは、下面上縁部12ａの右端部から下面下縁部12ｂの右端部に向かって第１の下面右縁部の辺12ｃ1 、第２の下面右縁部の辺12ｃ2 を有し、下面左縁部12ｄは、下面上縁部12ａの左端部から下面下縁部12ｂの左端部に向かって第１の下面左縁部の辺12ｄ1 、第２の下面左縁部の辺12ｄ2 を有している。
【００１５】
従って、図１に示すように、隣接する一方のブロック体10の右側面部13を隣接する他方のブロック体10の左側面部14に、例えば、第１の上面右縁部の辺11ｃ1 を含む面を第１の上面左縁部の辺11ｄ1 を含む面に接触又は、対応させて、逐次、並設して配置すれば、半径Ｒ1 の弧状を、また、第２の上面右縁部の辺11ｃ2 を含む面を第２の上面左縁部の辺11ｄ2 を含む面に接触又は、対応させて、逐次、並設して配置すれば、半径Ｒ2 の弧状を、それぞれ簡易且つ迅速に形成することができ、また、ブロック体10の上面部11は上面上縁部11ａの中点と上面下縁部11ｂの中点とを接続する中心線Ｘ−Ｘに対して左右に対称で、ブロック体10の平面図視と底面図視、右側面図視と左側面図視はそれぞれ同形状であるため、ブロック体10の上面部11が損傷しても、損傷していない底面部が上面部になるように裏返して使用することができる。
【００１６】
上述した実施例の上面右縁部11ｃは、上面上縁部11ａの右端部から上面下縁部11ｂの右端部に向かって第１の上面右縁部の辺11ｃ1 、第２の上面右縁部の辺11ｃ2 を有した二辺であるが、第１の上面右縁部の辺11ｃ1 、第２の上面右縁部の辺11ｃ2 、第３の上面右縁部の辺11ｃ3 を有した三辺でも良い（上面上縁部11ａの左端部から上面下縁部11ｂの左端部に向かっても同様、図５乃至図８参照）。
【００１７】
ブロック体10は、上述した実施例と同様な素材としたもので、上面部11、底面部12、右側面部13、左側面部14、前面部15、背面部16を備えている（図７参照）。
そして、ブロック体10の平面図視（平面図で見て）と底面図視（底面図で見て）、ブロック体10の右側面図視（右側面図で見て）と左側面図視（左側面図で見て）は、それぞれ同形状となっている（図７及び図８参照）。
上面部11は、上面上縁部11ａと、上面下縁部11ｂと、この上面下縁部11ｂの右端部と上面上縁部11ａの右端部とを接続する上面右縁部11ｃと、上面下縁部11ｂの左端部と上面上縁部11ａの左端部とを接続する上面左縁部11ｄとを有し、上面上縁部11ａは上面下縁部11ｂより長く、上面上縁部11ａの中点と上面下縁部11ｂの中点とを接続する中心線Ｘ−Ｘに対して上面部11は左右に対称となっている。図５乃至図８の上面上縁部11ａ及び上面下縁部11ｂは直線となっているが、円弧状でも良い。
【００１８】
上面右縁部11ｃは、上面上縁部11ａの右端部から上面下縁部11ｂの右端部に向かって第１の上面右縁部の辺11ｃ1 、第２の上面右縁部の辺11ｃ2 、第３の上面右縁部の辺11ｃ3 を有し、上面左縁部11ｄは、上面上縁部11ａの左端部から上面下縁部11ｂの左端部に向かって第１の上面左縁部の辺11ｄ1 、第２の上面左縁部の辺11ｄ2 、第３の上面左縁部の辺11ｄ3 を有している。
【００１９】
そして、図６に示すように、上述の中心線Ｘ−Ｘ、第１の上面右縁部の辺11ｃ1 、第１の上面左縁部の辺11ｄ1 の延長線は、１点Ｏで交わっている。また、上述の中心線Ｘ−Ｘ、第２の上面右縁部の辺11ｃ2 、第２の上面左縁部の辺11ｄ2 の延長線は、１点Ｏで交わっている。また、上述の中心線Ｘ−Ｘ、第３の上面右縁部の辺11ｃ3 、第３の上面左縁部の辺11ｄ3 の延長線は、１点Ｏで交わっている。
第１の上面右縁部の辺11ｃ1 と第１の上面左縁部の辺11ｄ1 とがなす角度θ1 、第２の上面右縁部の辺11ｃ2 と第２の上面左縁部11ｄ2 の辺とがなす角度θ2 、第３の上面右縁部の辺11ｃ3 と第３の上面左縁部の辺11ｄ3 とがなす角度θ3 であり、角度θ1 、角度θ2 、角度θ3 の関係は、θ1 ＜θ2 ＜θ3 となっている。
【００２０】
下面部12は、上面部11と同様に、下面上縁部12ａと、下面下縁部12ｂと、この下面下縁部12ｂの右端部と下面上縁部12ａの右端部とを接続する下面右縁部12ｃと、下面下縁部12ｂの左端部と下面上縁部12ａの左端部とを接続する下面左縁部12ｄとを有し、下面上縁部12ａは下面下縁部12ｂより長く、下面上縁部12ａの中点と下面下縁部12ｂの中点とを接続する中心線Ｘ−Ｘに対して下面部12は左右に対称となっている。図５乃至図８の下面上縁部12ａ及び下面下縁部12ｂは直線となっているが、円弧状でも良い（例えば、図１３参照）。
【００２１】
下面右縁部12ｃは、下面上縁部12ａの右端部から下面下縁部12ｂの右端部に向かって第１の下面右縁部の辺12ｃ1 、第２の下面右縁部の辺12ｃ2 、第３の下面右縁部の辺12ｃ3 を有し、下面左縁部12ｄは、下面上縁部12ａの左端部から下面下縁部12ｂの左端部に向かって第１の下面左縁部の辺12ｄ1 、第２の下面左縁部の辺12ｄ2 、第３の下面左縁部の辺12ｄ3 を有している。
【００２２】
従って、図５に示すように、隣接する一方のブロック体10の右側面部13を隣接する他方のブロック体10の左側面部14に、例えば、第１の上面右縁部の辺11ｃ1 を含む面を第１の上面左縁部の辺11ｄ1 を含む面に接触又は、対応させて、逐次、並設して配置すれば、半径Ｒ1 の弧状を、また、第２の上面右縁部の辺11ｃ2 を含む面を第２の上面左縁部の辺11ｄ2 を含む面に接触又は、対応させて、逐次、並設して配置すれば、半径Ｒ2 の弧状を、また、第３の上面右縁部の辺11ｃ3 を含む面を第３の上面左縁部の辺11ｄ3 を含む面に接触又は、対応させて、逐次、並設して配置すれば、半径Ｒ3 の弧状を、それぞれ簡易且つ迅速に形成することができ、また、ブロック体10の上面部11は上面上縁部11ａの中点と上面下縁部11ｂの中点とを接続する中心線Ｘ−Ｘに対して左右に対称で、ブロック体10の平面図視と底面図視、右側面図視と左側面図視はそれぞれ同形状であるため、ブロック体10の上面部11が損傷しても、損傷していない底面部が上面部になるように裏返して使用することができる。
【００２３】
上述した実施例の上面右縁部11ｃは、上面上縁部11ａの右端部から上面下縁部11ｂの右端部に向かって第１の上面右縁部の辺11ｃ1 、第２の上面右縁部の辺11ｃ2 、第３の上面右縁部の辺11ｃ3 を有した三辺であるが、第１の上面右縁部の辺11ｃ1 、第２の上面右縁部の辺11ｃ2 、第３の上面右縁部の辺11ｃ3 、第４の上面右縁部の辺11ｃ4 を有した四辺でも良い（上面上縁部11ａの左端部から上面下縁部11ｂの左端部に向かっても同様、図９乃至図１２参照）。
【００２４】
ブロック体10は、上述した実施例と同様な素材としたもので、上面部11、底面部12、右側面部13、左側面部14、前面部15、背面部16を備えている（図１１参照）。
そして、ブロック体10の平面図視（平面図で見て）と底面図視（底面図で見て）、ブロック体10の右側面図視（右側面図で見て）と左側面図視（左側面図で見て）は、それぞれ同形状となっている（図１１及び図１２参照）。
上面部11は、上面上縁部11ａと、上面下縁部11ｂと、この上面下縁部11ｂの右端部と上面上縁部11ａの右端部とを接続する上面右縁部11ｃと、上面下縁部11ｂの左端部と上面上縁部11ａの左端部とを接続する上面左縁部11ｄとを有し、上面上縁部11ａは上面下縁部11ｂより長く、上面上縁部11ａの中点と上面下縁部11ｂの中点とを接続する中心線Ｘ−Ｘに対して上面部11は左右対称となっている。図９乃至図１２の上面上縁部11ａ及び上面下縁部11ｂは直線となっているが、円弧状でも良い。
【００２５】
上面右縁部11ｃは、上面上縁部11ａの右端部から上面下縁部11ｂの右端部に向かって第１の上面右縁部の辺11ｃ1 、第２の上面右縁部の辺11ｃ2 、第３の上面右縁部の辺11ｃ3 、第４の上面右縁部の辺11ｃ4 を有し、上面左縁部11ｄは、上面上縁部11ａの左端部から上面下縁部11ｂの左端部に向かって第１の上面左縁部の辺11ｄ1 、第２の上面左縁部の辺11ｄ2 、第３の上面左縁部の辺11ｄ3 、第４の上面左縁部の辺11ｄ4 を有している。
【００２６】
そして、図１０に示すように、上述の中心線Ｘ−Ｘ、第１の上面右縁部の辺11ｃ1 、第１の上面左縁部の辺11ｄ1 の延長線は、１点Ｏで交わっている。また、上述の中心線Ｘ−Ｘ、第２の上面右縁部の辺11ｃ2 、第２の上面左縁部の辺11ｄ2 の延長線は、１点Ｏで交わっている。また、上述の中心線Ｘ−Ｘ、第３の上面右縁部の辺11ｃ3 、第３の上面左縁部の辺11ｄ3 の延長線は、１点Ｏで交わっている。また、上述の中心線Ｘ−Ｘ、第４の上面右縁部の辺11ｃ4 、第４の上面左縁部の辺11ｄ4 の延長線は、１点Ｏで交わっている。  第１の上面右縁部の辺11ｃ1 と第１の上面左縁部の辺11ｄ1 とがなす角度θ1 、第２の上面右縁部の辺11ｃ2 と第２の上面左縁部11ｄ2 の辺とがなす角度θ2 、第３の上面右縁部の辺11ｃ3 と第３の上面左縁部の辺11ｄ3 とがなす角度θ3 であり、第４の上面右縁部の辺11ｃ4 と第４の上面左縁部の辺11ｄ4 とがなす角度θ4 であり、角度θ1 、角度θ2 、角度θ3 、角度θ4 の関係は、θ1 ＜θ2 ＜θ3 ＜θ4 となっている。
【００２７】
下面部12は、上面部11と同様に、下面上縁部12ａと、下面下縁部12ｂと、この下面下縁部12ｂの右端部と下面上縁部12ａの右端部とを接続する下面右縁部12ｃと、下面下縁部12ｂの左端部と下面上縁部12ａの左端部とを接続する下面左縁部12ｄとを有し、下面上縁部12ａは下面下縁部12ｂより長く、下面上縁部12ａの中点と下面下縁部12ｂの中点とを接続する中心線Ｘ−Ｘに対して下面部12は左右に対称となっている。図９乃至図１２の下面上縁部12ａ及び下面下縁部12ｂは直線となっているが、円弧状でも良い。
【００２８】
下面右縁部12ｃは、下面上縁部12ａの右端部から下面下縁部12ｂの右端部に向かって第１の下面右縁部の辺12ｃ1 、第２の下面右縁部の辺12ｃ2 、第３の下面右縁部の辺12ｃ3 、第４の下面右縁部の辺12ｃ4 を有し、下面左縁部12ｄは、下面上縁部12ａの左端部から下面下縁部12ｂの左端部に向かって第１の下面左縁部の辺12ｄ1 、第２の下面左縁部の辺12ｄ2 、第３の下面左縁部の辺12ｄ3 、第４の下面左縁部の辺12ｄ4 を有している。
【００２９】
従って、図９に示すように、隣接する一方のブロック体10の右側面部13を隣接する他方のブロック体10の左側面部14に、例えば、第１の上面右縁部の辺11ｃ1 を含む面を第１の上面左縁部の辺11ｄ1 を含む面に接触又は、対応させて、逐次、並設して配置すれば、半径Ｒ1 の弧状を、また、第２の上面右縁部の辺11ｃ2 を含む面を第２の上面左縁部の辺11ｄ2 を含む面に接触又は、対応させて、逐次、並設して配置すれば、半径Ｒ2 の弧状を、また、第３の上面右縁部の辺11ｃ3 を含む面を第３の上面左縁部の辺11ｄ3 を含む面に接触又は、対応させて、逐次、並設して配置すれば、半径Ｒ3 の弧状を、また、第４の上面右縁部の辺11ｃ4 を含む面を第４の上面左縁部の辺11ｄ4 を含む面に接触又は、対応させて、逐次、並設して配置すれば、半径Ｒ4 の弧状をそれぞれ簡易且つ迅速に形成することができ、また、ブロック体10の上面部11は上面上縁部11ａの中点と上面下縁部11ｂの中点とを接続する中心線Ｘ−Ｘに対して左右対称で、ブロック体10の平面図視と底面図視、右側面図視と左側面図視はそれぞれ同形状であるため、ブロック体10の上面部11が損傷しても、損傷していない底面部が上面部になるように裏返して使用することができる。
【００３０】
なお、上述した実施例では、上面部と右側面部、上面部と前面部、上面部と左側面部、上面部と背面部、底面部と右側面部、底面部と前面部、底面部と左側面部、底面部と背面部、前面部と左側面部、前面部と右側面部、背面部と左側面部、背面部と右側面部、のそれぞれの境部は角ばっているが、図示しないが、上面部と右側面部、上面部と前面部、上面部と左側面部、上面部と背面部、底面部と右側面部、底面部と前面部、底面部と左側面部、底面部と背面部、前面部と左側面部、前面部と右側面部、背面部と左側面部、背面部と右側面部、のそれぞれの境部を角ばらないように、面取りするようにしても良い。
【図面の簡単な説明】
【００３１】
【図１】図１は、本発明の一実施例の配置用ブロックを並設した状態の概略的平面図である。
【図２】図２は、図１の配置用ブロックを抽出して示す概略的一部平面図である。
【図３】図３は、図１の配置用ブロックの概略的斜視図である。
【図４】図４は、図３の配置用ブロックの概略的平面図である。
【図５】図５は、本発明の他の一実施例の配置用ブロックを並設した状態の概略的平面図である。
【図６】図６は、図５の配置用ブロックを抽出して示す概略的一部平面図である。
【図７】図７は、図５の配置用ブロックの概略的斜視図である。
【図８】図８は、図７の配置用ブロックの概略的平面図である。
【図９】図９は、本発明の他の一実施例の配置用ブロックを並設した状態の概略的平面図である。
【図１０】図１０は、図９の配置用ブロックを抽出して示す概略的一部平面図である。
【図１１】図１１は、図９の配置用ブロックの概略的斜視図である。
【図１２】図１２は、図１１の配置用ブロックの概略的平面図である。
【図１３】図１３は、図７の他の実施例の配置用ブロックの概略的斜視図である。
【符号の説明】
【００３２】
１  ・・・・・配置用ブロック
10  ・・・・・ブロック体
11  ・・・・・上面部
12  ・・・・・底面部
13  ・・・・・右側面部
14  ・・・・・左側面部
15  ・・・・・前面部
16  ・・・・・背面部
【図１】
2005240474.tif 000003
【図２】
2005240474.tif 000004
【図３】
2005240474.tif 000005
【図４】
2005240474.tif 000006
【図５】
2005240474.tif 000007
【図６】
2005240474.tif 000008
【図７】
2005240474.tif 000009
【図８】
2005240474.tif 000010
【図９】
2005240474.tif 000011
【図１０】
2005240474.tif 000012
【図１１】
2005240474.tif 000013
【図１２】
2005240474.tif 000014
【図１３】
2005240474.tif 000015